(57)【特許請求の範囲】
【請求項１】
通信手段を備えた火災警報器と、通信手段を備えたガス警報器と、通信手段を備えたＣＯ警報器と、少なくとも前記ＣＯ警報器と情報通信する通信手段を備えたガスメータとからなり、
前記ガスメータは、前記警報器の信号を識別する識別手段と、前記識別手段の識別結果に応じて処置を選択する処置選択手段を備え、前記ＣＯ警報器からの信号を受信した場合は、ガスの使用量の有無を判定し、ガスが使用されていなければ、前記ＣＯ警報器へ報知音を大きくするように指示し、
前記ＣＯ警報器は、警報音を大きくして在宅者に知らせる音量調整手段を備えた警報器対応システム。
【請求項２】
前記ガスメータは、前記ＣＯ警報器からの信号を受信した場合、ガスの使用量の有無を判定し、ガスが使用されていると判定すれば、即ガス遮断を行う請求項１記載の警報器対応システム。
【発明の詳細な説明】
【技術分野】
【０００１】
本発明は、ガスの使用流量を計測するガスメータと屋内に設置された異常警報器との連携において、事故の防止のための処置を行う装置に関するものである。
【背景技術】
【０００２】
従来、この種の警報器対応システムとしては、例えば特許文献１に記載させたものが知られていた。以下、その構成について図６を参照しながら説明する。
【０００３】
図６に示すように、ガスメータ１は、積算表示部２、計量部３、流量センサ４を備えている。上記積算表示部２は、ガス供給源であるガス容器（図示せず）からガス器具（図示せず）に供給されるガスの流量がカウント表示（積算表示）される。そして、この積算表示部２は、計量部３を介して流量センサ４に接続されている。
【０００４】
そして、ガスメータ１は、弁閉により、ガス容器からガス器具へのガス供給を遮断する遮断弁５と、ガス漏れ警報器６が接続される端子台７と、伝送コントローラ（ＮＣＵ）８が接続される端子台９とを備えている。
【０００５】
また、上記ＮＣＵ８は、電話線を通じて、電話回線網に接続し、遠隔の管理センタとの通信を行うためのモデム（図示せず）及び電話線の接続を加入者電話機とガスメータ１との間で切り替える自動切替器（図示せず）を備えている。
【０００６】
さらに、ガスメータ１は、制御回路１０を備えている。制御回路１０は、主制御部であるマイクロコンピュータ（μＣＯＭ）１１と、動作電源として機能する電池１２と、インタフェース１３などから構成されている。ここで、１４はプログラムや固定データなどを格納する読み出し専用のメモリであるＲＯＭ、１５はＲＯＭ１４に格納したプログラムに従って各種の処理演算を行う中央処理ユニット（ＣＰＵ）１５、１６はＣＰＵ１５における処理に利用する作業エリアや処理演算結果を格納するデータ格納エリアを有する読み出し書き込み自在のメモリであるＲＡＭである。また、上述したインタフェース１３には、流量センサ４のパルス出力端、遮断弁５の制御端、端子台７及び９などが接続されている。
【０００７】
上記構成において、ガスメータ１内のＣＰＵ１５は、ガス容器からガス器具へと流れるガス流量を検出し、この検出したガス流量を積算してガス使用量として検出する計量処理と、ガス漏れ警報器６がガス漏れを検出するとＮＣＵ８を制御して、遠隔にある管理センタにガス漏れを通報するガス漏れ通報処理とを行うことになっていた。
【特許文献１】特開２００４−１９９５６号公報
【発明の開示】
【発明が解決しようとする課題】
【０００８】
しかしながら、前記従来の構成では、ガス漏れ警報器のガス漏れ検知の情報によりガス遮断が行われていたが、他の警報器の情報はガスメータに知らされておらず、他の警報器の異常検知ではガス遮断は行われていなかったという課題があった。
【課題を解決するための手段】
【０００９】
前記従来の課題を解決するために、本発明の警報器対応システムは、通信手段を備えた火災警報器と、通信手段を備えたガス警報器と、通信手段を備えたＣＯ警報器と、少なくとも前記ＣＯ警報器と情報通信する通信手段を備えたガスメータとからなり、前記ガスメータは、前記警報器の信号を識別する識別手段と、前記識別手段の識別結果に応じて処置を選択する処置選択手段を備え、前記ＣＯ警報器からの信号を受信した場合は、ガスの使用量の有無を判定し、ガスが使用されていなければ、前記ＣＯ警報器へ報知音を大きくするように指示し、前記ＣＯ警報器は、警報音を大きくして在宅者に知らせる音量調整手段を備えた構成とした。
【００１０】
これによって、ガスメータと様々な警報器の異常情報により、ガスを遮断することがで
き、安全性を向上させることができる。
【発明の効果】
【００１１】
本発明の警報器対応システムは、通信手段を備えた火災警報器と、通信手段を備えたガス警報器と、通信手段を備えたＣＯ警報器の少なくともいずれか１つ以上の警報器と情報通信する通信手段を備えたガスメータと、前記警報器の信号を識別する識別手段を備え、識別手段の識別結果に応じてガスメータが処置を選択する処置選択手段を備えることで、ガスメータと様々な警報器の異常情報により、ガスを遮断することができ、安全性を向上させることができる。
【発明を実施するための最良の形態】
【００１２】
第１の発明は、通信手段を備えた火災警報器と、通信手段を備えたガス警報器と、通信手段を備えたＣＯ警報器と、少なくとも前記ＣＯ警報器と情報通信する通信手段を備えたガスメータとからなり、前記ガスメータは、前記警報器の信号を識別する識別手段と、前記識別手段の識別結果に応じて処置を選択する処置選択手段を備え、前記ＣＯ警報器からの信号を受信した場合は、ガスの使用量の有無を判定し、ガスが使用されていなければ、前記ＣＯ警報器へ報知音を大きくするように指示し、前記ＣＯ警報器は、警報音を大きくして在宅者に知らせる音量調整手段を備えたことで、ガス器具によるＣＯ発生以外の事故も警報することができ、より安全性を向上させた保安処理を行うことができる。
【００１３】
第２の発明は、特に、第１の発明のＣＯ警報器からの信号を受信した場合は、ガスの使用量の有無を判定し、ガスが使用されていると判定すれば、即ガス遮断を行うことで、すぐにガスを遮断することができ、安全性を向上させた保安処理を行うことができる。
【００１４】
以下、本発明の実施の形態について、図面を参照しながら説明する。なお、本実施の形態によって本発明が限定されるものではない。
【００１５】
（実施の形態１）
本発明の第１の実施の形態における警報器対応システムの構成図を図１に、同ブロック図を図２に示すものである。
【００１６】
図１と図２において警報器対応システムは、流路１７に流れるガスの流量を計測する流量計測手段としての超音波流量計測手段１８と、異常を検出すればガスを遮断するガス遮断手段としての遮断弁１９と、外部の情報検知手段と情報通信する通信手段２０とを備えたガスメータ２１と、火災を検知して報知する報知手段２２と外部通信手段としての通信手段２３を備えた火災警報器２４と、可燃流体や有毒流体を検出して報知する報知手段２５と外部通信手段２６を備えたガス警報器２７と、一酸化炭素（以下、ＣＯと記載する）の濃度を検出して報知する報知手段２８と外部通信手段２９を備えたＣＯ警報器３０とを備え、前記火災警報器２４とガス警報器２７とＣＯ警報器３０の少なくともいずれか１つ以上の警報器と情報通信して、警報器を識別手段３１によって識別し、識別結果に応じてガスメータ２１が処置を選択する処置選択手段３２を備えた構成とした。ここで、３３は流路１７に接続されたガス給湯機，ガス調理器，ガスファンヒータ等のガス器具、３４は火災センサ、３５は警報器の制御手段である。
【００１７】
以上のように構成された警報器対応システムについて、その動作、作用を説明する。
【００１８】
家の屋内には、火災警報器２４が設置されており、万一、火災が発生した場合、火災警報器２４が火災を検知して、火災警報器２４の報知手段２２から報知音を発生する。このときに、火災警報器２４の通信手段２３が、ガスメータ２１に火災の発生を知らせる信号を送る。そして、ガスメータ２１は、火災警報器２４の信号であることを識別することに
よって、ガスメータ２１は家に火災が発生していることを知ることができる。この結果、ガスメータ２１の処置選択手段３２が、ガスを遮断する信号を出力することによってガス遮断が遮断弁１９で行われる。
【００１９】
その一方で、ガスメータ２１が他の警報器、たとえば、ガス警報器２７やＣＯ警報器３０に火災発生の信号を送信することによって、ガス警報器２７やＣＯ警報器３０もそれぞれの報知手段２５，２８から報知音を発生させることができる。
【００２０】
このような構成によって、火災警報器２４の火災検知によって、ガスメータ２１がガスを遮断して、まず被害の拡大を防止する。そして、他の警報器にも通報することで、ガス警報器２７やＣＯ警報器３０も報知音を発生することで、多くの警報器から危険を知らせることができ、人の避難や初期消火などの処置を迅速にとることができるので、安全性を向上でき被害を最小限に止めることができる。
【００２１】
なお、火災警報器２４が初期検知したことで説明したが、ガス警報器２７やＣＯ警報器３０が初期検知した場合でも同様である。それぞれの警報器の信号ごとに指定された指示をガスメータ２１に通信し、処置選択手段３２はガスメータ２１にガスを遮断する信号を出力することで、異常なガス検知やＣＯ検知を行ったときに、すぐにガスを遮断することができ、安全性を向上させた保安処理を行うことができる。また、火災警報器２４とガス警報器２７とＣＯ警報器３０が設置されていることで説明したが、これらの警報器の少なくともいずれか１つ以上の警報器とガスメータが情報通信することで、同様の効果は得られる。
【００２２】
さらに、ガスメータ２１がガス警報器２７からの異常信号を受信した場合は、受信後、一定時間経過後、ガスを遮断することで、ガスの瞬時停止を防止して利便性を向上させることができる。例えば、スプレーなどによるガス警報器２７の誤作動の場合、短時間でガス警報器の異常検知が解除されるので、一定時間の間隔を開けることで警報器の誤作動を判別することができる。このような動作により、ガスの誤遮断を防止することができる。なお、ガス警報器で説明したが、他の警報器においても同様な処置は十分に考えられる。また、一定時間の間隔は、任意に設定できるものとして、通常１分から１０分の間で設定できるようにすることが望ましい。
【００２３】
また、図３に示すＣＯ警報器３０からの信号を受信した場合は、ガスの使用量の有無をガスメータ２１の超音波流量計測手段１８が瞬時に判定し、ガスが使用されていると判定すれば、即ガス遮断を行うことで、すぐにガスを遮断することができ、安全性を向上させた保安処理を行うことができる。超音波流量計測手段１８を用いることで、低流量のガス使用でも瞬時に判別することができ、ガスを素早く遮断することができる。ここで、３６はＣＯセンサである。
【００２４】
また、ガスが使用されていなければ、ガスメータからＣＯ警報器へ報知音を大きくするように指示し、在宅者に知らせる音量調整手段３７を備えたことで、ガス器具によるＣＯ発生以外の事故も警報することができ、より安全性を向上させた保安処理を行うことができる。ここでも超音波流量計測手段１８を用いることで瞬時にガスが流れていないことを検知できるので、このような処置も迅速に行うことができ、事故の拡大を未然に防止することができる。
【００２５】
例えば、１階の車庫で自動車がエンジンをかけっ放しにしていたとき、２階に設置されたＣＯ警報器３０がＣＯを検知し、ガスメータ２１にその情報を通信する。そして、ガスメータ２１がガスを使用していないことを確認すると、ガスメータ２１からＣＯ警報器３０の警報音を大きくするようにＣＯ警報器に指示する。このような処置を行えば、２階に
居住している人が警報に気づきやすくなるし、もし２階の人が倒れていても、報知音を大きくすることで、隣室に居住している人に報知することができ、早期に救出することができ、自動車のＣＯ排気ガスで中毒を起こす事故などが防止できるようになる。また、ＣＯ警報器で説明したが、他の警報器でも同様な構成は考えられる。
【００２６】
なお、以上の説明は超音波流量計測手段を用いて説明したが、他の瞬間流量を計測可能な流量計測方式の流量計測手段でも、同様の効果が得られることは明白である。また、ガスメータと警報器の間での情報通信を中心に説明してきたが、ガスメータと警報器の情報を管理センターに通信して処理選択することでも同様の効果が得られる。そして、報知することとして音量で説明したが、ガスメータの表示部に視覚的に表示することも含まれているものである。また、全部の警報器に処置選択手段を取り付けた構成で説明したが、一部の警報器に取り付けて構成しても良いし、ガスメータ側のみでもよい。また、通信手段は、無線による送受信で図示したが、有線で構成しても同様の効果が得られることは明白である。特に、ＬＡＮや電話回線等を利用するも可能である。
【産業上の利用可能性】
【００２７】
以上のように、本発明にかかる警報器対応システムは、通信手段を備えた火災警報器と、通信手段を備えたガス警報器と、通信手段を備えたＣＯ警報器の少なくともいずれか１つ以上の警報器と情報通信する通信手段を備えたガスメータと、前記警報器の信号を識別する識別手段を備え、識別手段の識別結果に応じてガスメータが処置を選択する処置選択手段を備えることで、ガスメータと様々な警報器の異常情報により、ガスを遮断することができ、安全性を向上させることができる。
【図面の簡単な説明】
【００２８】
【図１】本発明の実施の形態１における警報器対応システムのシステム図
【図２】同警報器対応システムのブロック図
【図３】同警報器対応システムのＣＯ警報器のブロック図
【図４】従来の流量計測装置のブロック図
【符号の説明】
【００２９】
１７  流路
１８  超音波流量計測手段
１９  遮断弁
２０、２３、２６、２９  通信手段
２１  ガスメータ
２２、２５、２８  報知手段
２４  火災警報器
２７  ガス警報器
３０  ＣＯ警報器
３１  識別手段
３２  処置選択手段
３７  音量調整手段
【図１】
0004804955.tif 000002
【図２】
0004804955.tif 000003
【図３】
0004804955.tif 000004
【図４】
0004804955.tif 000005